(57)【要約】【課題】ＣＰＵなどの発熱体に固定するクリップを具え、組み立てを容易としたヒートシンク構造とする。【解決手段】ヒートシンク１０は、放熱フィン１１、熱伝導管２１、発熱体に密着して伝熱する基座１３、及び取付け用のクリップ２０からなる。クリップは、コノ字型に一対の圧制部２２を設けて、放熱フィンに形成された挿入スリット１１２に挿入固定される。ヒートシンク両側に固定されたクリップは、それぞれ下方に屈曲した弾性アーム２３とその先端の係合孔などを設けたクリップ部２３３を備え、発熱体を搭載した基板側に設けられた係合部材に掛け止めされる。クリップは、ヒートシンクに一体に固定されて扱われるので、紛失することは無く、組み立てが容易である。【選択図】図１
2008004710.tif 000002
【特許請求の範囲】
【請求項１】
ヒートシンク、及び少なくとも二つのクリップより構成され、
ヒートシンクは、複数のフィンを具え、フィン上には挿入スリットを設け、
クリップは、それぞれ主体とその両端から突出して延長された圧制部を具えて、該圧制部は対応するヒートシンクの挿入スリットに挿入されて固定され、主体の両端間には少なくとも一つのクリップ部材が設けられて、圧制部と反対方向に突出して延長され、発熱体を搭載した基板側の係合部材に掛け止めされるようにした、ことを特徴とする、クリップを具えたヒートシンク。
【請求項２】
前記クリップ部材は、主体の中間に設置され、外向きに突出して延長されて弾性アームを構成し、さらに弾性アームは下方に向かって延長されてクリップアームを形成してなること特徴とする、請求項１に記載のクリップを具えたヒートシンク。
【請求項３】
前記クリップアームの下方に向う先端には、発熱体を搭載した基板側の係合部材に掛け止めされるクリップ部を設けてなることを特徴する、請求項１に記載のクリップを具えたヒートシンク。
【請求項４】
前記クリップ部は、クリップ孔であることを特徴する、請求項１に記載のクリップを具えたヒートシンク。
【請求項５】
前記クリップ部は、フックであることを特徴する、請求項１に記載のクリップを具えたヒートシンク。
【請求項６】
前記クリップ部材と主体は、一体に形成してなることを特徴する、請求項１に記載のクリップを具えたヒートシンク。
【請求項７】
前記クリップ部材と主体は、個別の単体からなることを特徴する、請求項１に記載のクリップを具えたヒートシンク。
【請求項８】
前記圧制部と挿入スリットとの間は接合剤を塗布して固定してなることを特徴する、請求項１に記載のクリップを具えたヒートシンク。
【請求項９】
前記圧制部と主体は、一体に形成してなることを特徴する、請求項１に記載のクリップを具えたヒートシンク。
【請求項１０】
前記圧制部と主体は、個別の単体にてなることを特徴する、請求項１に記載のクリップを具えたヒートシンク。
【請求項１１】
前記ヒートシンクは、基座を具え、基座の一面と複数のフィンは緊密に接合されてなることを特徴する、請求項１に記載のクリップを具えたヒートシンク。
【請求項１２】
前記ヒートシンクは、少なくとも一つの熱伝導管を具え、熱伝導管の一端はフィンを貫通し、他端は基座に接してなることを特徴する、請求項１１に記載のクリップを具えたヒートシンク。
【請求項１３】
前記フィンと基座は、相互に異なる熱伝導材にてなることを特徴する、請求項１１、１２に記載のクリップを具えたヒートシンク。
【請求項１４】
前記フィンと基座は、相互に等しい熱伝導材にてなることを特徴する、請求項１１、１２に記載のクリップを具えたヒートシンク。
【発明の詳細な説明】
【技術分野】
【０００１】
本発明は、「クリップを具えたヒートシンク構造」に関してなり、特にクリップをヒートシンクフィン上に組み合わせたヒートシンク構造に関する。
【背景技術】
【０００２】
公知のヒートシンククリップとして、例えば中華民国特許公報公告番号第M258557号の「ヒートシンククリップ」にて開示されている技術は、主体及び操作体を含んでなり、主体はサイドピンを具有し、サイドクリップ上に両端を貫通する収容溝が設けられてなり、その末端と固定モジュールを組み合わせ、収容溝内にはフックを収容してなり、フック部分の厚さは収容溝の広さより大きくなり、フックと主体の収容溝は、しっかりと納まり任意の角度で静止させることが可能であり、操作体は、操作体端部は主体のサイドクリップ中部に接続し、接続点において垂直及び水平に二つの位置間を回転運動することができる。
【０００３】
或いは、第M243683号の「ヒートシンククリップ」にて開示されている技術は、ヒートシンクが基座、基座から延伸するヒートシンクフィン、ヒートシンクフィンを設置しない収容空間部、連接器、及びクリップより構成され、クリップは、圧制部を具える本体を含んでなり、本体の両端にはそれぞれ第一クリップ部及び第二クリップ部が延伸してなり、本体の第二クリップ部上には把手が設けられてなり、把手は本体の第二クリップ部の端及第二クリップ部上部付近にて屈折を形成してなる。その内、クリップを施力する把手は、圧制部によりヒートシンクのヒートシンクフィンが未設置の収容空間部を圧制し、クリップ部はそれぞれ連接器の凸部を嵌合し、このようにして、ヒートシンクは連接器上への固定を達成している。
【０００４】
或いは第M243683号の「ヒートシンククリップ」に掲示される技術は、ヒートシンク、及びヒートシンククリップより構成され、ヒートシンクは、基座及び基座に設置される複数のヒートシンクフィンを含んでなり、ヒートシンククリップは、少なくとも一つの固定部材、二つの操作部材、及び二つのクリップ部材より組成され、前記固定部材はヒートシンクを固定してなる。各操作部材は圧制部及び圧制部の一端より屈折し延伸する操作部を具有してなり、圧制部は固定部材に回転可能に装着してなり、操作部は圧制部がある軸線に巻きつき垂直及び水平位置間を遥動し、連動部が突出する方向と操作部が延伸する方向は挟み角を形成してなり、二つのクリップ部材は操作部材の連動部に連接し、クリップ構造を形成してなる。
【０００５】
上述の三件の公知の技術が共通して備える技術的特徴は、クリップとヒートシンクは個別の部材にてなり、即ちクリップとヒートシンクは分離した単体にてなり、使用者が使用しようとする時、クリップで固定されたヒートシンク並びにヒートシンククリップを発熱装置上に固定するが、ヒートシンクとクリップは製造後にすぐに使用されず、包装し組み立て工場に運送、或いは、販売経路を経て使用者の手に届くまでに、運送過程でクリップの遺失、即ちヒートシンクだけがあってもクリップがなく、ヒートシンクを使用するすべがない状況が発生し、コストの増加を招くことがある。更に、第二の公知の技術に記載のクリップは、ヒートシンクのヒートシンクフィンが未設置の収容空間に横向きに設置し圧制してなり、通常、前記収容空間はヒートシンクの中心の最高発熱領域に位置し、ファンの送風箇所に対し、ファンの流体がヒートシンクフィンの間で流動する状態に影響するだけでなく、ヒートシンクの最高の発熱領域も熱交換作用を効果的に行えず、ヒートシンクモジュール全体の冷却効果が低下する。更に第三の公知の技術に記載のヒートシンクは固定部材を使用してヒートシンクを固定してなり、組み立てが面倒であるだけではなく、固定部材を使用する為に製造コストの増加を発生する。
【特許文献１】特表２００６−５０６８１７号公報
【特許文献２】特表２００１−５１５２７２号公報
【発明の開示】
【発明が解決しようとする課題】
【０００６】
上述の問題を解決する為に本発明は、ヒートシンクとクリップを製造する時、両者を一体に結合して形成し、クリップが包装、或いは運送時に遺失することを防止し、使用者がヒートシンクとクリップを装着させる必要がなく、ヒートシンクを冷却したい箇所に設置することを可能とすることを目的とする。
【０００７】
本発明は、更にクリップをそれぞれヒートシンクの両側に設置し、ヒートシンク中央の発熱領域の流体の流動経路への悪影響を防止することを目的とする。
【課題を解決するための手段】
【０００８】
上述の目的を達成する為、本発明が提供する「クリップ部材のヒートシンク構造」は、ヒートシンク、及び、二つのクリップを含んでなり、前記ヒートシンクは複数の一定間隔を空けたフィンを具備してなり、前記フィンには挿入スリットを設けてなり、前記クリップは主体を具備し、前記主体は少なくとも一つの圧制部及び少なくとも一つのクリップ部材を具有してなり、前記圧制部は主体の両端から突出し対応するヒートシンクフィンの挿入スリット内に挿入設置してなり、前記クリップ部材は圧制部と反対方向に突出し対応する耳にクリップしてなる。
【発明の効果】
【０００９】
上述の手段により、上述の問題を解決する為に本発明は、ヒートシンクとクリップを製造する時、両者を一体に結合して形成し、クリップが包装或いは運送時に遺失することを防止し、使用者がヒートシンクとクリップを装着させる必要がなく、ヒートシンクを冷却したい箇所に設置することを可能とする。
【発明を実施するための最良の形態】
【００１０】
以下に、実施例により、本発明の「クリップを備えたヒートシンク構造」を図を用いて具体的に説明する。
図１，２，３は本発明の具体的な実施例であり、ヒートシンク１０及び少なくとも二つのクリップ２０より構成され、ヒートシンク１０は複数のフィン１１、少なくとも一つの熱伝導管１２、及び少なくとも一つの基座１３を具有する。
【００１１】
前述のフィン１１は、間隔をおいて平行に配列され、各フィン１１の表面は上端付近に少なくとも一つの貫通孔１１１を設けてなり、各フィン１１の下端には溝が設けられ、前記溝はヒートシンク１０の凹溝１０１を構成すると共に、凹溝１０１内には少なくとも一つの切り欠き１０２が設けられ、少なくとも一つの挿入スリット１１２をそれぞれヒートシンク１０のフィン１１の両側を貫通して形成する（フィンの中央には挿入スリットは未設置）。
【００１２】
前述の基座１３は、凹溝１０１内に配置され、フィン１１に相対する一面はフィン１１に密着し、切り欠き１０２に相対する箇所には少なくとも一つの溝１３１が開設される。
前述の熱伝導管１２は、Ｕ字型を形成して、その一端１２１はフィン１１の貫通孔１１１を貫通し、他端１２２は、凹溝１０１の切り欠き１０２及び基座１３の溝１３１の間に形成される通孔に挿通される。
前述の一対のクリップ２０は、それぞれ主体２１を具え、主体２１の両端からそれぞれ突出して形成される圧制部２２を設け、これら二つのクリップ２０の圧制部２２はそれぞれ対応するヒートシンク１０のフィン１１の両側の挿入スリット１１２に挿入されてクリップ２０はそれぞれヒートシンク１０のフィン１１の両側に設置される。
クリップの各主体２１には圧制部２２と反対方向に突出する少なくとも一つのクリップ部材２３を設ける。クリップ部材２３は本実施例においては主体２１の中央に配置されるが、それ以外の箇所に設置することもできる。クリップ部材２３は、突出する先端に向けて上向き形成された弾性アーム２３１、及び弾性アーム２３１から下向きに屈折して延長されるクリップアーム２３２を設け、クリップアーム２３２の下向きの先端にはクリップ部２３３を設ける。前記クリップ部２３３は、クリップ孔或いはフック孔とする。
【００１３】
上述の圧制部２２及びクリップ部材２３は、主体２１と一体に形成するか、或いは主体２１と個別に分離した単体部材として設けることができ、いずれにせよ、主体２１と結合して一体にできればよい。更に圧制部２２と挿入スリット１１２との間には接合剤を塗布して両者を密接に固定する。
【００１４】
更に、前述のヒートシンク１０のフィン１１と基座１３は相互に異なる熱伝導材にて形成し、例えばフィン１１はアルミニウム、基座１３は銅とし、或いは相互に同等な部材からなるように、例えばフィン１１及び基座１３はいずれもアルミニウムで形成することができる。
【００１５】
続いて、図４，５は、本発明を発熱部材上に装着した実施例の説明図であり、図に示すように回路板３０上にＣＰＵ等の発熱部材３１及び発熱部材３１周囲を囲うフレーム３２を設けてなり、前記フレーム３２の両側にはそれぞれ凸耳３２１が設けられ、上述のヒートシンク１０を発熱部材２１及びフレーム３２に対応させ、クリップ２０のクリップ部２３３はそれぞれフレーム３２の両側の凸耳３２１に対応し、基座１３の他面は発熱部材３１上に緊密に接合し、更にクリップ２３の弾性アーム２３１を下方に押圧して、クリップアーム２３２のクリップ部２３３を凸耳３２１に掛け止めしてヒートシンク１０を発熱部材３１上に固定する。
【００１６】
上述の説明のとおり、本発明のクリップ２０は圧制部２２をヒートシンク１０の両側に挿入固定することにより、クリップ２０とヒートシンク１０を製造後、一体化して分離しないようにして、ヒートシンク１０が包装或いは運動の過程においてクリップ２０が遺失することを防止し、更に別途固定部材を使用してヒートシンク１０に固定する必要をなくしている。これらの構成により、使用者がクリップ２０とヒートシンク１０を装着する工程を省き、直接ヒートシンク１０を発熱部材３１上に固定し、クリップ２０がそれぞれヒートシンク１０の両側に設置され、ヒートシンク１０の中央の発熱領域の流体の流動経路に影響せず、ヒートシンク１０の冷却効果を大幅に上昇させることができる。
【００１７】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【図面の簡単な説明】
【００１８】
【図１】本発明の立体分解図である。
【図２】本発明の立体図である。
【図３】図２の3-3の断面図である。
【図４】本発明の発熱部材上への装着説明図である。
【図５】本発明の台座上へのラッチ固定の側面図である。
【符号の説明】
【００１９】
１０ ヒートシンク
１０１ 凹溝
１０２ 切り欠き
１１ フィン
１１１ 貫通孔
１１２ 挿入スリット
１２ 熱伝導管
１２１ 一端
１２２ 他端
１３ 基座
１３１ 溝
２０ クリップ
２１ 主体
２２ 圧制部
２３ クリップ部材
２３１ 弾性アーム
２３２ クリップアーム
２３３ クリップ部
３０ 回路板
３１ 発熱部材
３２ フレーム
３２１ 凸耳
１３ 基座
【図１】
2008004710.tif 000003
【図２】
2008004710.tif 000004
【図３】
2008004710.tif 000005
【図４】
2008004710.tif 000006
【図５】
2008004710.tif 000007